(57)【特許請求の範囲】
【請求項１】
記憶媒体から施設情報を含む地図情報を読み取って、地図を表示手段に表示させるナビゲーション装置において、
デジタルＴＶ放送局からの放送を受信するデジタルＴＶ受信機と、
デジタルＴＶ放送局から放送され、前記デジタルＴＶ受信機にて受信された施設情報を記憶する記憶手段と、
この記憶した施設情報と前記読み取った地図情報とに基づき、同一施設に対しては前記記憶した施設情報を優先させるようにして前記表示手段に地図を表示させる手段と、を備え、
前記デジタルＴＶ受信機から出力されるデータを監視し、デジタルＴＶ放送局から放送された施設情報を前記デジタルＴＶ受信機が受信したことを判定すると、受信した施設情報を前記記憶手段に記憶することを特徴とするナビゲーション装置。
【請求項２】
前記受信する施設情報には、施設表示の期間を示す情報が付加されていることを特徴とする請求項１に記載のナビゲーション装置。
【発明の詳細な説明】
【０００１】
【発明の属する技術分野】
本発明は、記憶媒体から施設情報を含む地図情報を読み取って、表示手段に地図を表示させるナビゲーション装置に関する。
【０００２】
【従来の技術および発明が解決しようとする課題】
従来、ナビゲーション装置では、施設情報を含む地図情報をＣＤ−ＲＯＭやＤＶＤ−ＲＯＭ等の記憶媒体から読み取って、地図を表示させるようにしている。
地図情報としてはなるべく最新のものを用いる必要があるが、記憶媒体は、年１回程度しか更新が行われない。このため、ガソリンスタンド、コンビニエンスストア、レストランなど比較的早いサイクルで入れ替わる施設の場合、実際には存在しない施設が表示されてしまうといった問題が生じる。
【０００３】
これに対し、インターネット接続機能を有するナビゲーション装置では、携帯電話を利用して最新の地図情報を取得することも考えられるが、地図情報は一般的にデータ量が多いため、その全てをダウンロードしていたのでは通信費が嵩むことになる。また、コンビニエンスストアなどに設置してある情報端末を利用して記憶媒体に地図情報を書き込んで利用することも可能である。しかし、情報端末が設置してある場所までわざわざ出向かねばならず、例えば月１回のペースで地図情報を書き換えるとしても、その手間が大変である。
【０００４】
本発明は上記問題に鑑みたもので、記憶媒体に記憶されている地図情報を用いるとともに、施設情報については最新のものを用いることができるようにすることを目的とする。
【０００５】
【課題を解決するための手段】
上記目的を達成するため、請求項１に記載の発明では、記憶媒体から施設情報を含む地図情報を読み取って、地図を表示手段に表示させるナビゲーション装置において、デジタルＴＶ放送局からの放送を受信するデジタルＴＶ受信機と、デジタルＴＶ放送局から放送され、デジタルＴＶ受信機にて受信された施設情報を記憶する記憶手段と、この記憶した施設情報と読み取った地図情報とに基づき、同一施設に対しては記憶した施設情報を優先させるようにして表示手段に地図を表示させる手段と、を備え、デジタルＴＶ受信機から出力されるデータを監視し、デジタルＴＶ放送局から放送された施設情報をデジタルＴＶ受信機が受信したことを判定すると、受信した施設情報を記憶手段に記憶することを特徴としている。
【０００６】
このことにより、記憶媒体に記憶されている地図情報を用いるとともに、施設情報については最新のものを用いることができる。
【０００７】
この場合、請求項２に記載の発明のように、前記受信する施設情報に、施設表示の期間を示す情報が付加されていれば、施設表示の期間だけ施設表示を行うようにすることができる。
【０００８】
【発明の実施の形態】
図１に、システムの構成を示す。地図データベース作製者は、定期的または地図情報に変更がある毎に、データベース１２を更新する。デジタルＴＶ放送局１１は、データベース１２に蓄積されている地図情報のうち施設情報を抽出して放送する。放送する施設情報としては、施設の位置、ジャンル（ガソリンスタンド、コンビニエンスストア、レストランなど）、電話番号、店のＰＲ、開店時間、閉店時間、および施設利用期間（例えば冬季限定）などを含む。開店時間、閉店時間および施設利用期間は、施設表示の期間を示す情報を構成している。
【０００９】
車両用のナビゲーション装置２０は、デジタルＴＶ放送局１１から放送された施設情報を受信し、それを用いて地図表示などに利用する。このナビゲーション装置２０は、図に示すように、デジタルＴＶ放送局１１からの放送を受信するデジタルＴＶ受信機２１と、ＧＰＳ受信機など車両の現在位置を検出するための位置検出装置２２と、ＣＤ−ＲＯＭやＤＶＤ−ＲＯＭ等の記憶媒体から地図情報を読み取る地図情報読み取り装置（例えば、ディスクドライバ）２３と、ユーザが入力を行うための入力装置２４と、外部メモリ２５と、ナビゲーションに必要な各種演算処理を実行するコンピュータを含んで構成された制御装置２６と、液晶などを用いて画像表示を行う表示装置（表示手段）２７と、スピーカ２８などから構成されている。
【００１０】
ユーザは、入力装置を用いてテレビ放送とナビゲーションのいずれかを選択することができる。ユーザがテレビ放送を選択した場合には、デジタルＴＶ受信機２１で受信した映像信号と音声信号により表示装置２７およびスピーカを用いてテレビ放送が行われる。
【００１１】
また、ユーザがナビゲーションを選択した場合には、制御装置２６は、以下に説明するナビゲーションの処理を実行する。なお、制御装置２６は、デジタルＴＶ受信機２１から出力されるデータを監視し、デジタルＴＶ放送局１１から放送された施設情報をデジタルＴＶ受信機２１が受信したことを判定すると、受信した施設情報を外部メモリ２５に記憶する。
【００１２】
図２に、制御装置２６が地図表示を行う場合の処理を示す。
【００１３】
まず、記憶媒体から地図情報読み取り装置２３を介して所定範囲の地図情報を読み取る（ステップ１０１）。その読み取った地図情報を制御装置２６内の描画メモリ２６ａに書き込む（ステップ１０２）。
【００１４】
次に、外部メモリ２５に記憶されている、上記した所定範囲と同一範囲の施設情報を読み取る（ステップ１０３）。読み取った施設情報のそれぞれについて表示条件（具体的には、開店時間と閉店時間の間か、施設利用期間がある場合にその期間内か）が成立しているか否かを判定する（ステップ１０４）。なお、そのような施設表示の期間を示す情報がない場合は、表示条件が成立しているものとする。
【００１５】
表示条件が成立している施設情報に基づいて施設の表示データを描画メモリ２６ａに上書きして書き込む（ステップ１０５）。このことにより、同一施設に対しては、外部メモリ２５に記憶されている施設情報が記憶媒体に記憶されている施設情報よりも優先されて、その施設表示データが描画メモリ２６ａに書き込まれる。また、表示条件が成立していない施設情報については描画メモリ２６ａに既に書き込まれている施設の表示データを消去する（ステップ１０６）。
【００１６】
この後、読み取った全ての施設情報について描画メモリ２６ａへの書き込みが終了すると（ステップ１０７）、描画メモリ２６ａの情報に基づいて施設を一構成要素とした地図を表示装置２７に表示させる（ステップ１０８）。
【００１７】
なお、上記した実施形態では、外部メモリ２５に記憶されている施設情報を地図表示のために用いるものを示したが、経路案内において、施設検索を行って目的地を設定する場合の施設検索の対象としてもよい。
【００１８】
また、デジタルＴＶ受信機２１から出力されるデータを監視することによって、放送された施設情報を外部メモリ２５に記憶させるものを示したが、施設情報の放送時間が分かっている場合には、自動的にあるいはユーザによる受信指示によって、放送された施設情報を外部メモリ２５に記憶させるようにしてもよい。
【００１９】
また、外部メモリ２５に記憶されている施設情報に基づいて施設の表示データを描画メモリ２６ａに上書きすることによって、外部メモリ２５に記憶されている施設情報を記憶媒体に記憶されている施設情報より優先させるものを示したが、外部メモリ２５に記憶されている施設情報に基づいて施設の表示データを先に描画メモリ２６ａに書き込み、その後、記憶媒体に記憶されている施設情報のうち外部メモリ２５に記憶されている施設情報を除いた施設情報について施設の表示データを描画メモリ２６ａに書き込むようにしてもよい。
【００２０】
また、デジタルＴＶ放送局１１が送信する施設情報に暗号キーを付加し、暗号キーを入力しないとデジタル放送局から受信した施設情報を利用できないようにすれば、本サービスを有料化することが可能になる。
【００２１】
また、施設情報の送信は、デジタル放送局からのものに限らず、インターネットを利用した施設情報の送信あるいは路上機からの送信などであってもよい。
【００２２】
また、本発明は車両用のナビゲーションに限らず、携帯用のナビゲーションにも同様に適用することができる。
【図面の簡単な説明】
【図１】本システムの構成を示す図である。
【図２】図１中の制御装置２６による地図表示処理を示すフローチャートである。
【符号の説明】
１１…デジタルＴＶ放送局、１２…データベース、
２０…ナビゲーション装置、２１…デジタルＴＶ受信機、
２２…位置検出装置、２３…地図情報読み取り装置、２４…入力装置、
２５…外部メモリ、２６…制御装置、２７…表示装置、２８…スピーカ。
【図１】
0004581278.tif 000002
【図２】
0004581278.tif 000003